(57)【要約】      （修正有）【課題】ノイズ源の近傍においても、S/N比の高い信号を受信する。【解決手段】受信装置６０において、無線信号を受信するアンテナ622と、アンテナが第１面62aに実装されている基板62と、基板の第２面に実装されている、アンテナに受信される無線信号を処理する回路部と、を備える。第１面および第２面の少なくともいずれかにおいて、露出しているパターンは、グランドパターンである。グランドパターンは、第２面に形成されているものとしてもよい。回路部は、グランドパターンに導通する回路保護材に覆われているものとしてもよい。【選択図】図５
2020202426.tif 000002
【特許請求の範囲】
【請求項１】
無線信号を受信するアンテナと、
前記アンテナが第１面に実装されている基板と、
前記基板の第２面に実装されている、前記アンテナに受信される前記無線信号を処理する回路部と、
を備え、
前記第１面および前記第２面の少なくともいずれかにおいて、露出しているパターンは、グランドパターンである、
受信装置。
【請求項２】
前記グランドパターンは、前記第２面に形成されている、
請求項１記載の受信装置。
【請求項３】
前記回路部は、前記グランドパターンに導通する回路保護材に覆われている、
請求項１又は2記載の受信装置。
【請求項４】
前記回路部は、前記無線信号を増幅する増幅器と、前記増幅器の出力を加工して前記受信装置の外部へ伝達する処理回路と、がこの順に接続されて構成されている、
請求項１乃至３のいずれかに記載の受信装置。
【請求項５】
前記増幅器は、前記第２面において前記アンテナに対応する位置に実装されている、
請求項４記載の受信装置。
【請求項６】
前記基板は孔を備え、前記孔の直径は、前記無線信号の波長の4分の1以下である、
請求項１乃至５のいずれかに記載の受信装置。
【請求項７】
前記基板は絶縁体の板に金属箔を貼付した板である、
請求項１乃至６のいずれかに記載の受信装置。
【請求項８】
バッテリが搭載される本体と、
前記本体から伸び出るアームと、
前記アームの先端に配置される、前記ドローンを飛行させる回転翼を駆動するモータと、
前記バッテリと前記モータとを接続して前記バッテリからの電流を前記モータに印加する、前記アームに沿って配線されるケーブルと、
前記アーム上に固定される受信装置と、
を備え、
前記受信装置は、請求項１乃至７のいずれかに記載の受信装置である、
ドローン。
【発明の詳細な説明】
【技術分野】
【０００１】
本願発明は、受信装置、および受信装置を備えるドローンに関する。
【背景技術】
【０００２】
一般にドローンと呼ばれる小型ヘリコプター（マルチコプター）の応用が進んでいる。その重要な応用分野の一つとして農地（圃場）への農薬や液肥などの薬剤散布が挙げられる（たとえば、特許文献１および２）。
【０００３】
ドローンは、機体の位置や外部情報を含む無線信号を受信するための受信装置を備える。しかしながら、ドローンを飛行させる回転翼を制御するモータは、大きな電流を必要とするため、モータおよびモータへの配線が、受信装置にとって大きなノイズ源になる。そこで、ノイズ源の近傍においても、S/N比の高い信号を受信することができる受信装置が必要とされている。
【０００４】
特許文献３には、ＧＰＳアンテナの周囲のグランドパターンによってＧＰＳ信号を反射させてＧＰＳ受信感度を向上させる受信装置が開示されている。
【０００５】
特許文献４には、アンテナとリフレクタを一体設計とした、リフレクタを備えるチップアンテナを有する方向推定装置が開示されている。
【先行技術文献】
【特許文献】
【０００６】
【特許文献１】特許公開公報  特開２００１−１２０１５１
【特許文献２】特許公開公報  特開２０１７−１６３２６５
【特許文献３】特許公開公報  特開２０１２−８０３５３
【特許文献４】特許公開公報  特開２０１８−４８８５２
【発明の概要】
【発明が解決しようとする課題】
【０００７】
ノイズ源の近傍においても、S/N比の高い信号を受信する受信装置を提供する。
【課題を解決するための手段】
【０００８】
上記目的を達成するため、本発明の一の観点に係る受信装置は、無線信号を受信するアンテナと、
前記アンテナが第１面に実装されている基板と、前記基板の第２面に実装されている、前記アンテナに受信される前記無線信号を処理する回路部と、を備え、前記第１面および前記第２面の少なくともいずれかにおいて、露出しているパターンは、グランドパターンである。
【０００９】
前記グランドパターンは、前記第２面に形成されているものとしてもよい。
【００１０】
前記回路部は、前記グランドパターンに導通する回路保護材に覆われているものとしてもよい。
【００１１】
前記回路部は、前記無線信号を増幅する増幅器と、前記増幅器の出力を加工して前記受信装置の外部へ伝達する処理回路と、がこの順に接続されて構成されているものとしてもよい。
【００１２】
前記増幅器は、前記第２面において前記アンテナに対応する位置に実装されているものとしてもよい。
【００１３】
前記基板は孔を備え、前記孔の直径は、前記無線信号の波長の4分の1以下であるものとしてもよい。
【００１４】
前記基板は絶縁体の板に金属箔を貼付した板であるものとしてもよい。
【００１５】
上記目的を達成するため、本発明の別の観点に係るドローンは、バッテリが搭載される本体と、前記本体から伸び出るアームと、前記アームの先端に配置される、前記ドローンを飛行させる回転翼を駆動するモータと、前記バッテリと前記モータとを接続して前記バッテリからの電流を前記モータに印加する、前記アームに沿って配線されるケーブルと、前記アーム上に固定される受信装置と、を備え、前記受信装置は、上述のいずれかに記載の受信装置である。
【発明の効果】
【００１６】
ノイズ源の近傍においても、S/N比の高い信号を受信することができる。
【図面の簡単な説明】
【００１７】
【図１】本願発明に係るドローンの斜視図である。
【図２】上記ドローンの（ａ）正面図、（ｂ）背面図である。
【図３】上記ドローンの（ａ）平面図、（ｂ）底面図である。
【図４】上記ドローンの（ａ）左側面図、（ｂ）右側面図である。
【図５】本願発明に係る受信装置の分解斜視図である。
【図６】上記受信装置が有する基板の平面図である。
【図７】上記基板の底面図である。
【図８】本願発明に係る受信装置の別の実施形態において、上記受信装置が有する基板の底面図である。
【発明を実施するための形態】
【００１８】
以下、図を参照しながら、本願発明を実施するための形態について説明する。図はすべて例示である。以下の詳細な説明では、説明のために、開示された実施形態の完全な理解を促すために、ある特定の詳細について述べられている。しかしながら、実施形態は、これらの特定の詳細に限られない。また、図面を単純化するために、周知の構造および装置については概略的に示されている。
【００１９】
●ドローンの概要
本願明細書において、ドローンとは、動力手段（電力、原動機等）、操縦方式（無線であるか有線であるか、および、自律飛行型であるか手動操縦型であるか等）を問わず、複数の回転翼を有する飛行体全般を指すこととする。
【００２０】
図１乃至図４に示すように、回転翼101-1a、101-1b、101-2a、101-2b、101-3a、101-3b、101-4a、101-4b（ローターとも呼ばれる）は、ドローン100を飛行させるための手段であり、飛行の安定性、機体サイズ、および、電力消費量のバランスを考慮し、8機（2段構成の回転翼が4セット）備えられている。各回転翼101は、ドローン100の本体110からのび出たアームにより本体110の四方に配置されている。すなわち、進行方向左後方に回転翼101-1a、101-1b、左前方に回転翼101-2a、101-2b、右後方に回転翼101-3a、101-3b、右前方に回転翼101-4a、101-4bがそれぞれ配置されている。なお、ドローン100は図１における紙面下向きを進行方向とする。回転翼101の回転軸から下方には、それぞれ棒状の足107-1,107-2,107-3,107-4が伸び出ている。
【００２１】
モーター102-1a、102-1b、102-2a、102-2b、102-3a、102-3b、102-4ａ、102-4bは、回転翼101-1a、101-1b、101-2a、101-2b、101-3a、101-3b、101-4a、101-4bを回転させる手段（典型的には電動機だが発動機等であってもよい）であり、一つの回転翼に対して1機設けられている。１セット内の上下の回転翼（たとえば、101-1aと101-1b）、および、それらに対応するモーター（たとえば、102-1aと102-1b）は、ドローンの飛行の安定性等のために軸が同一直線上にあり、かつ、互いに反対方向に回転する。図２、および、図３に示されるように、ローターが異物と干渉しないよう設けられたプロペラガードを支えるための放射状の部材は水平ではなくやぐら状の構造である。衝突時に当該部材が回転翼の外側に座屈することを促し、ローターと干渉することを防ぐためである。
【００２２】
薬剤ノズル103-1、103-2、103-3、103-4は、薬剤を下方に向けて散布するための手段であり4機備えられている。なお、本願明細書において、薬剤とは、農薬、除草剤、液肥、殺虫剤、種、および、水などの圃場に散布される液体または粉体を一般的に指すこととする。
【００２３】
薬剤タンク104は散布される薬剤を保管するためのタンクであり、重量バランスの観点からドローン100の重心に近い位置でかつ重心より低い位置に設けられている。薬剤ホース105-1、105-2、105-3、105-4は、薬剤タンク104と各薬剤ノズル103-1、103-2、103-3、103-4とを接続する手段であり、硬質の素材から成り、当該薬剤ノズルを支持する役割を兼ねていてもよい。ポンプ106は、薬剤をノズルから吐出するための手段である。
【００２４】
●フレームの構成
ドローンのフレームは互いに一体に結合され、かつ、前記複数のモータ102を支持する複数の支持アームで構成されている。複数の支持アームで構成されるフレームは、上下に所定の間隔をおいて一体に結合された一対のフレームからなる。
【００２５】
上側のフレームを構成する前記複数の支持アームは、両端部においてそれぞれモータ102を支持する一つの第１支持アーム10と、第１支持アーム10から延びた二つの第２支持アーム11，12とを有してなる。第２支持アーム11，12は、第１支持アーム10の長さ方向の途中から斜めに対称形に、かつ、先端部が互いに広がる方向に伸びている。
【００２６】
第２支持アーム11，12は、長さ方向の途中において補強梁13によって結合されている。補強梁13は第１支持アーム10と平行になっていて、第１支持アーム10と第２支持アーム11，12と補強梁13とで、平面視で台形状に形成され、いわゆるトラス構造に近い構造になっている。フレームは、トラス構造に近い構造になっていることにより、比較的簡単な構成でありながら、機械的強度を高めることができる。第１支持アーム10、第２支持アーム11，12および補強梁13は、同一平面内に位置するように、適宜の結合部材を介して結合されている。
【００２７】
第１支持アーム10の両端部においてそれぞれモーター102-2a、102−4aが支持されている。モーター102-2a、102-4aの回転出力軸にはそれぞれプロペラ101-2a、101-4aが取り付けられていて、各プロペラが上記各モーターによって個別に回転駆動される。第２支持アーム11，12の各先端部で上記モーターとは別のモーター102-1a、102-3aが支持されている。モーター102-1a、103-3aの回転出力軸にはそれぞれプロペラ101-1a、101-3aが取り付けられていて、各プロペラが上記各モーターによって個別に回転駆動される。
【００２８】
下側のフレームも上側のフレームとほぼ同様の構造になっている。下側のフレームは、両端部においてそれぞれプロペラ駆動モーターを支持する一つの第１支持アーム20と、第１支持アーム20から延びた二つの第２支持アーム21，22とを有してなる。第２支持アーム21，22は、第１支持アーム20の長さ方向の途中から斜めに対称形に、かつ、先端部が互いに広がる方向に伸びている。第１支持アーム20および第２支持アーム21、22は同一平面内に位置するように、適宜の結合部材を介して結合されている。
【００２９】
上下のフレームは、互いに平行をなすように適宜数の柱の介在の下に結合されている。上下一対の第2支持アーム11，21および別の一対の第2支持アーム12，22は、長さ方向の中間部でそれぞれ柱３０，３０によって適宜の結合部材を介して結合されている。また、上下一対の第１支持アーム10、20は、上側の第２支持アーム11、21との結合部付近と、下側の第２支持アーム12，22との結合部付近において、それぞれ柱31、31によって適宜の結合部材を介して結合されている。
【００３０】
一対の柱30、30は、上下方向下寄りの位置において補強梁23によって結合されている。補強梁23は、第１支持アーム20と第２支持アーム21、22からなる下側のフレームの補強梁でもあり、上下のフレーム全体の補強梁としても機能する。補強梁13は第１支持アーム10と平行になっていて、第１支持アーム10と第２支持アーム11、12と補強梁13とで、平面視で台形状に形成され、いわゆるトラス構造に近い構造になっている。
【００３１】
上下のフレームを構成する前記第１支持アーム20、第２支持アーム21、22、補強梁23、上下のフレームを結合する柱30、31は、パイプ状の部材である。また、フレームを構成する上記の部材、少なくとも第１支持アーム20、第２支持アーム21、22および補強梁23の素材は、熱伝導素材、例えばアルミニウム合金または炭素繊維複合材からなる。炭素繊維複合材としては、炭素繊維強化プラスチック（ＣＦＲＰ）、炭素繊維強化炭素複合材料などがある。
【００３２】
第１支持アーム20、第２支持アーム21、22、補強梁23、および柱30、31の内部には、本体110に内蔵されるバッテリからの電流をモータ102に印加するケーブルが配線されている。
【００３３】
●GNSSセンサー
前記上側のフレームを構成する二つの第2支持アーム11，12にはGNSS(Global Navigation Satellite System)センサー60，60が上向きに取り付けられている。GNSSセンサー60，60は、GPS、GLONASS、Galileo、準天頂衛星（QZSS）、BeiDou等の衛星測位システムの信号を受信する。GNNSセンサー60，60は、受信装置の例である。GNSSの信号は、無線信号の例である。GNSSセンサー60，60は、例えばRTKアンテナおよびRTK-GNSS（Real Time Kinematic - Global Navigation Satellite System）モジュールにより構成されている。GNSSセンサー60，60は、ドローン100の絶対位置を計測し、計測した位置が例えばプログラム通りの位置であるかどうかを判定し、位置がずれていれば正しい位置になるように各モータ102の回転を制御する。
【００３４】
GNSSセンサー60，60が振動すると、ドローン100の絶対位置計測精度が低下し、位置制御の制度も低下する。そこで図示の実施例では、振動源であるモータ102の振動の影響を受けないように、モータ102から最大限離れた位置である第2支持アーム11、12の長さ方向のほぼ中間部にGNSSセンサー60、60を設置している。
【００３５】
GNSSセンサー60、60の設置位置は、平面方向から見てそれぞれ前後のプロペラガード41，42の間と、プロペラガード43，44の間にある。また、GNSSセンサー60、60上下のフレームを結合する柱30、30の近傍にあって、第2支持アーム11、12が振動しにくい位置にある。よって、GNSSセンサー60、60は前記各駆動モーターの振動の影響を受けにくく、ドローンの位置を高い精度で計測することができる。
【００３６】
図5に示すように、GNSSセンサー60は、カバー61と、基板62と、底板63と、を備える。なお、以降の説明においては、ドローン100の正面視左側のGNSSセンサー60に着目して説明する。GNSSセンサー60とドローン100の各構成との関係は、略左右対称である。
【００３７】
カバー61は、GNSSセンサー60の上面を構成する円盤状の部材である。カバー61の下面には、外周に渡って下向きに突出するリブ61aが形成されている。リブ61aは底板63の外周と対応していて、互いに篏合して基板62を覆っている。
【００３８】
基板62は、GNSSの信号を受信して情報を本体110に伝達するための電気回路が実装されている、平板状の基板である。基板62は、本実施形態においては略円形の平板であるが、本発明の技術的範囲はこれに限られず、例えば矩形、長円形等であってもよい。基板62は、両面に異なるパターンを配置可能な両面基板である。
【００３９】
基板62は、絶縁体の板に金属箔を貼付した板である。基板62は、例えばガラスエポキシ樹脂の基材に銅箔を貼り合わせて形成されている。また、表面にはレジストが塗布されている。
【００４０】
基板62の外周近傍には4個の挿通孔621a、621b、621c、621dが配設されている。この挿通孔621a、621b、621c、621dは、底板63の孔631a、631b、631c、631dにそれぞれ対応する位置に設けられていて、底板63の外側から挿入されるネジにより、基板62および底板63が連結されている。
【００４１】
底板63は、GNSSセンサー60の下面を構成する略円盤状の部材である。底板63の上面には、外周に渡って上向きに突出するリブ63aが形成されていて、カバー61と篏合している。
【００４２】
底板63の上面側、すなわちGNSSセンサー60の内側中央には、２個の長方形状の窪みが互いに直交して組み合わさったような形状の、略十字状の窪み632が設けられている。窪み632が伸びる一方向は、第2支持アーム11、12と略同方向である。底板63の裏面は、窪み632に対応する凸部となっている。凸部の突出面のうち、第２支持アーム12と略同方向に伸びる部分は、上面側に向かって部分円筒状に湾曲していて、第２支持アーム11、12に沿うようになっている。
【００４３】
窪み632の略中央には、ネジなどの固定部材633aが挿通される孔633が形成されている。固定部材633aにより、GNSSセンサー60と第2支持アーム12とが連結されている。なお、GNSSセンサー60と第2支持アーム12の連結形態は、固定部材633aによるものには限られず、接着や溶着であってもよい。
【００４４】
図5乃至図7を用いて、基板62の詳細な構成を説明する。図6および図7に示すように、基板62は、第１面62aおよび第２面62bを有する。図6に示すように、第１面62aの略中央には、GNSS信号を受信するアンテナ622が実装されている。アンテナ622は、本実施形態では円形であるが、別の形状であってもよい。
【００４５】
第1面62aには、グランドパターン623が第1面62aの全面に渡って広く形成されている。グランドパターン623を構成するパターン孔の一部は、スルーホールとなっていて、第2面62bのグランドと導通している。すなわち、基板62の両面において、グランドは共通である。第1面62aに露出するパターンは、大部分がグランドパターンであってもよいし、すべてがグランドパターンであってもよい。グランドパターン623は、アンテナ622の水平面よりも下からのノイズを減衰させるリフレクタの機能を発揮する。基板にグランドパターンを設け、基板をリフレクタと兼用させることで、少ない部品点数で、高品質な信号を受信可能である。また、後述する回路部625、626が実装される第2面62bとは異なる第1面62aにグランドパターン623を形成する構成によれば、第2面62bにのみグランドパターンを形成する構成に比べて、広いグランドパターン623が確保される。
【００４６】
図7に示すように、第2面62bには、アンテナ622に受信される無線信号を処理する回路部625、626が実装されている。回路部625、626は、増幅器625および処理回路626がこの順に接続されて構成されている。増幅器625は、無線信号を増幅する回路である。処理回路626は、増幅器の出力を受信装置の外部へ伝達する回路である。増幅器625および処理回路626は、それぞれ導電性の回路保護材625a、626aに覆われている。回路保護材625a、626aは例えば金属製の薄板であり、グランドと導通していて、増幅器625および処理回路626を外部のノイズから保護している。処理回路626の端部には、接続端子626bが露出していて、当該接続端子626bから無線信号に基づく信号が出力される。
【００４７】
アンテナ622、増幅器625および処理回路626が1個の基板62に実装され、一体になっている構成によれば、アンテナ622で受信される信号が冗長な構成を介することなく増幅される。したがって、本構成によれば、アンテナと増幅器とが別体になっていてケーブル等で接続されている構成、例えば回路部が本体110に内蔵されている構成と比較して、高いS/N比を担保することができる。
【００４８】
増幅器625は、第2面62bの略中央、すなわちアンテナ622に対応する位置に実装されている。アンテナ622に受信される信号は、スルーホールを介して増幅器625に入力される。この構成によれば、受信される信号が長距離に渡って伝達されることなく増幅されるので、高いS/N比を担保することができる。
【００４９】
なお、第2面62bにグランドパターンを形成することによっても、アンテナ622をノイズから保護することができる。第2面62bに露出するパターンは、大部分がグランドパターンであってもよいし、すべてがグランドパターンであってもよい。図8に示すように、第2面62bに広いグランドパターンを確保するために、回路部625、626の配置部分の外側に、接地部624aが形成されていてもよい。すなわち、基板62は、回路部625、626を実装するのに必要な面積より大きくなっていてもよい。
【００５０】
ドローン100においては、底板63は第2支持アーム11、12に固定されており、第2支持アーム11、12には大電流が流れるケーブルが挿通されている。GNSSセンサー60が第２支持アーム11、12によって反射されるノイズの混入したGNSS信号を受信すると、位置計測精度が低下してしまう。しかしながら、ドローン100を安定的に飛行させるためには、ドローン100の本体110から放射状にフレームを伸ばして各端部にモータ102を配置する必要があり、本体110から端部まで大電流を渡すことになるため、GNSSセンサー60をノイズ源から離して配置するのは困難である。また、特別な構成を用いてGNSSセンサー60をフレームから離間させるとすると、部品点数が増える上、振動が生じてしまい、絶対位置計測精度が低下する。基板がリフレクタの機能を有するGNSSセンサー60を第2支持アーム12上に配置する本構成によれば、GNSSセンサー60の振動を抑えつつ、大電流に起因するノイズを軽減することができる。
【００５１】
基板の挿通孔621a、622b、623c、624dおよびパターン孔の直径は、いずれもGNSS信号の波長の4分の1以下である。本構成によれば、リフレクタの機能が各孔によって損なわれることがない。なお、各孔の直径は、GNSS信号の波長の4分の1を計算することで求められる値に安全率を掛けて、当該値よりも十分小さい直径の孔としてもよい。
【００５２】
なお、本説明においては、ドローンに備えられる受信装置を例に説明したが、本発明の技術的思想はこれに限られるものではなく、ノイズ源の近傍に配置されるあらゆる受信装置に適用可能である。
【００５３】
（本願発明による技術的に顕著な効果）
本発明にかかる受信装置においては、ノイズ源の近傍においても、S/N比の高い信号を受信することができる。
【図１】
2020202426.tif 000003
【図２】
2020202426.tif 000004
【図３】
2020202426.tif 000005
【図４】
2020202426.tif 000006
【図５】
2020202426.tif 000007
【図６】
2020202426.tif 000008
【図７】
2020202426.tif 000009
【図８】
2020202426.tif 000010